(57)【要約】【課題】十分な量の付加情報をより早いタイミングで表示することができる受信端末を提供すること。【解決手段】受信端末１０は、放送信号を受信し放送信号から放送トランスポートストリームを取得するＴＶ受信系１１０と、放送トランスポートストリームからＴＳパケットを分離するＴＳデコーダ１２０と、ＴＳパケットからビデオデータを取得する映像処理部１３０と、ＴＳパケットから放送番組の番組識別情報を取得し、放送番組に対応する付加情報を番組識別情報に基づいて携帯電話の通信系２３０〜２８０を用いて取得する処理を実行するＣＰＵ２９０と、放送番組と番組識別情報に基づいて取得された付加情報とを表示する表示部１６０とを有する。【選択図】図２
2009049534.tif 000002
【特許請求の範囲】
【請求項１】
放送信号を受信する放送信号受信手段と、
前記放送信号受信手段によって受信された放送信号から放送番組を取得する放送番組取得手段と、
前記放送信号受信手段によって受信された放送信号から前記放送番組取得手段によって取得された放送番組の番組識別情報を取得する番組識別情報取得手段と、
前記放送番組取得手段によって取得された放送番組に対応する付加情報を、前記番組識別情報取得手段によって取得された番組識別情報に基づいて、前記放送信号受信手段によって受信された放送信号以外から取得する付加情報取得手段と、
前記放送番組取得手段によって取得された放送番組と前記付加情報取得手段によって取得された付加情報とを表示する表示手段と、
を有する受信端末。
【請求項２】
前記付加情報が配信される通信網と接続可能な通信網接続手段、をさらに有し、
前記付加情報取得手段は、
前記通信網接続手段を介して前記通信網から前記付加情報を取得する、
請求項１記載の受信端末。
【請求項３】
表示の対象となる付加情報の情報種別を予め設定する設定テーブル、をさらに有し、
前記付加情報取得手段は、
前記設定テーブルを参照して、表示の対象となる情報種別の付加情報を取得する、
請求項１記載の受信端末。
【請求項４】
前記番組識別情報は、前記放送番組の番組種別を含み、
前記設定テーブルは、
前記番組種別ごとに前記情報種別を設定し、
前記付加情報取得手段は、
前記設定テーブルを参照して、前記番組種別に該当する付加情報を取得する、
請求項３記載の受信端末。
【請求項５】
前記付加情報の情報種別を番組種別ごとに記述した情報種別リストを取得する情報種別リスト取得手段と、
前記情報種別リスト取得手段によって取得された情報種別リストを表示して、前記設定テーブルのユーザ設定を受け付ける設定テーブル作成手段と、を有する、
請求項４記載の受信端末。
【請求項６】
前記付加情報取得手段は、
複数の放送番組に対応する複数の付加情報を一括で取得する付加情報一括取得手段と、
前記付加情報一括取得手段によって取得された複数の付加情報を格納する付加情報格納手段と、
前記付加情報格納手段に格納された複数の付加情報の中から、前記番組識別情報取得手段によって取得された番組識別情報に基づいて、前記放送番組取得手段によって取得された放送番組に対応する付加情報を取得する格納付加情報取得手段と、
を有する請求項２記載の受信端末。
【請求項７】
前記放送信号受信手段は、
それぞれ放送信号を独立に受信する第１および第２の受信手段を有し、
前記表示手段は、
前記第１の受信手段によって受信された放送信号に基づく放送番組、前記第２の受信手段によって受信された放送信号に基づく放送番組、および前記付加情報取得手段によって取得された付加情報を表示する、
請求項１記載の受信端末。
【請求項８】
放送信号を受信する放送信号受信ステップと、
前記放送信号受信ステップで受信した放送信号から放送番組を取得する放送番組取得ステップと、
前記放送信号受信ステップで受信した放送信号から、前記放送番組取得ステップで取得した放送番組の番組識別情報を取得する番組識別情報取得ステップと、
前記放送番組取得ステップで取得した放送番組に対応する付加情報を、前記番組識別情報取得ステップで取得した番組識別情報に基づいて、前記放送信号受信ステップで受信した放送信号以外の信号から取得する付加情報取得ステップと、
前記放送番組取得ステップで取得した放送番組および前記付加情報取得ステップで取得した付加情報を表示する表示ステップと、
を有する受信方法。
【請求項９】
情報配信サーバおよび受信端末を有する情報配信システムにおいて、
前記情報配信サーバは、
放送番組に対応する付加情報を格納する付加情報格納手段と、前記放送番組の番組識別情報と対応付けて、前記付加情報格納手段に格納された付加情報を、前記放送番組を放送する放送信号以外により配信する情報配信手段と、を有し、
前記受信端末は、
放送信号を受信する放送信号受信手段と、前記放送信号受信手段によって受信された放送信号から放送番組を取得する放送番組取得手段と、前記放送信号受信手段によって受信された放送信号から前記放送番組の番組識別情報を取得する番組情報取得手段と、前記放送番組取得手段によって取得された放送番組に対応する付加情報を前記放送番組の番組識別情報に基づいて前記情報配信サーバから取得する付加情報取得手段と、前記放送番組取得手段によって取得された放送番組と前記付加情報取得手段によって取得された付加情報とを表示する表示手段と、を有する、情報配信システム。
【発明の詳細な説明】
【技術分野】
【０００１】
本発明は、放送信号を受信する受信端末および受信方法、ならびにこれらを用いた情報配信システムに係り、特に、放送番組と併せて放送番組の付加情報を表示する受信端末、受信方法、および情報配信システムに関する。
【背景技術】
【０００２】
テレビジョン放送の視聴において、視聴中の放送番組の映像と他の放送番組の映像とを同時に表示させる技術が、たとえば特許文献１に記載されている。特許文献１記載の受信端末は、個別に放送信号を受信可能な２つの受信系を備え、それぞれの受信系で受信された放送信号から取得される放送番組を、同一画面上に分割表示させる。これにより、ユーザは、視聴する放送番組を切り替える前に、切り替え先の候補となる放送番組の内容を比較検討してから、切り替え先を決定することができる。
【０００３】
ところで、地上デジタル放送では、携帯端末向けに、ワンセグと呼ばれる放送サービスが実施されており、ワンセグ対応の受信端末の普及が急速に進んでいる。ワンセグでは、地上デジタル放送の周波数帯域を構成する１３セグメントの１セグメントを用い、画質や音質を低く抑える代わりに、安定した受信品質を実現している。
【０００４】
ワンセグ対応の受信端末においても、放送番組の切り替え先候補を比較検討できることが望ましい。ところが、デジタル放送の場合、映像信号のデコードにある程度の時間を要するため、映像表示の切り替えに時間が掛かるという問題がある。
【０００５】
そこで、映像表示と併せて、放送番組のチャンネル番号および対応する番組名を表示させる技術が、たとえば特許文献２に記載されている。
【０００６】
ワンセグを含めた各種地上デジタル放送の放送信号には、放送番組のビデオ（映像）データやオーディオ（音声）データの他に、放送番組に関連する付加的な情報（以下「付加情報」という）として、制御情報と、データ放送のデータとが含まれている。制御情報は、番組特定情報（program specific information：ＰＳＩ）や番組配列情報（service information：ＳＩ）などである。番組特定情報は、受信側で所望の放送番組を選択するための情報であり、番組配列情報は、番組選択の利便性のための情報である。番組配列情報の１つであるＥＩＴ（event information table）には、放送番組の番組名、放送日時、番組内容などが記述される。データ放送は、制御情報以外の、放送番組に関連する各種情報をユーザに提供することを目的とした放送である。
【０００７】
上記した特許文献２記載の受信端末は、放送信号に含まれるＥＩＴから番組名を取得し、取得した番組名をチャンネル番号と併せて表示する。これにより、放送信号の受信を切り替えた後に素早く番組名が表示され、ユーザは、地上デジタル放送においても切り替え先候補の比較検討を快適に行うことができる。また、通常の放送番組の視聴の切り替えにおいても、切り替え先の番組名を素早く確認することができる。
【特許文献１】特開平６−１７８２２７号公報
【特許文献２】特開２００７−３６７２６号公報
【発明の開示】
【発明が解決しようとする課題】
【０００８】
しかしながら、特許文献２記載の受信端末においては、番組名をチャンネル番号と併せて表示するだけであるため、放送番組の内容を十分に示すことができず、ユーザが、自己の嗜好に合う放送番組であるか否か、自己が目的とする放送番組であるか否かなどを、正しく判断できないおそれがある。
【０００９】
この問題を解決する方法としては、たとえば、放送信号から取得される他の付加情報を表示させることが考えられる。しかし、地上デジタル放送の報道波で単位時間あたりに伝送可能な付加情報のデータ量には上限があり、特にワンセグの場合には、情報伝送レートが低いため、単位時間あたりに伝送可能な付加情報のデータ量は非常に限られる。したがって、放送番組の内容を正しくユーザに伝えるのに十分な量の付加情報の受信が完了して付加情報が表示されるまでには、やはりある程度の時間を要してしまう。
【００１０】
本発明は、かかる点に鑑みてなされたものであり、十分な量の付加情報をより早いタイミングで表示することができる受信端末、受信方法、情報配信サーバ、および情報配信システムを提供することを目的とする。
【課題を解決するための手段】
【００１１】
本発明の受信端末は、放送信号を受信する放送信号受信手段と、前記放送信号受信手段によって受信された放送信号から放送番組を取得する放送番組取得手段と、前記放送信号受信手段によって受信された放送信号から前記放送番組取得手段によって取得された放送番組の番組識別情報を取得する番組識別情報取得手段と、前記放送番組取得手段によって取得された放送番組に対応する付加情報を、前記番組識別情報取得手段によって取得された番組識別情報に基づいて、前記放送信号受信手段によって受信された放送信号以外から取得する付加情報取得手段と、前記放送番組取得手段によって取得された放送番組と前記付加情報取得手段によって取得された付加情報とを表示する表示手段とを有する構成を採る。
【００１２】
本発明の受信方法は、放送信号を受信する放送信号受信ステップと、前記放送信号受信ステップで受信した放送信号から放送番組を取得する放送番組取得ステップと、前記放送信号受信ステップで受信した放送信号から、前記放送番組取得ステップで取得した放送番組の番組識別情報を取得する番組識別情報取得ステップと、前記放送番組取得ステップで取得した放送番組に対応する付加情報を、前記番組識別情報取得ステップで取得した番組識別情報に基づいて、前記放送信号受信ステップで受信した放送信号以外の信号から取得する付加情報取得ステップと、前記放送番組取得ステップで取得した放送番組および前記付加情報取得ステップで取得した付加情報を表示する表示ステップとを有するようにした。
【００１３】
本発明の情報配信システムは、情報配信サーバおよび受信端末を有する情報配信システムにおいて、前記情報配信サーバは、放送番組に対応する付加情報を格納する付加情報格納手段と、前記放送番組の番組識別情報と対応付けて、前記付加情報格納手段に格納された付加情報を、前記放送番組を放送する放送信号以外により配信する情報配信手段と、を有し、前記受信端末は、放送信号を受信する放送信号受信手段と、前記放送信号受信手段によって受信された放送信号から放送番組を取得する放送番組取得手段と、前記放送信号受信手段によって受信された放送信号から前記放送番組の番組識別情報を取得する番組情報取得手段と、前記放送番組取得手段によって取得された放送番組に対応する付加情報を前記放送番組の番組識別情報に基づいて前記情報配信サーバから取得する付加情報取得手段と、前記放送番組取得手段によって取得された放送番組と前記付加情報取得手段によって取得された付加情報とを表示する表示手段とを有する構成を採る。
【発明の効果】
【００１４】
本発明によれば、放送信号以外から放送番組に対応する付加情報を番組識別情報に基づいて取得するので、放送信号で単位時間あたりに取得可能なデータ量を超えて付加情報を取得することができ、十分な量の付加情報をより早いタイミングで表示することができる。
【発明を実施するための最良の形態】
【００１５】
以下、本発明の一実施の形態について、図面を参照して詳細に説明する。
【００１６】
図１は、本発明の一実施の形態に係る情報配信システムの構成を示す図である。本実施の形態は、ワンセグ受信機能を備えた携帯電話機に適用した例である。
【００１７】
まず、ワンセグの概略について説明する。ワンセグでは、放送番組のビデオデータ（以下「番組映像データ」という）、オーディオデータ、およびデータ放送のデータは、番組特定情報（ＰＳＩ）および番組配列情報（ＳＩ）が付加された状態で、放送トランスポートストリーム（transport stream：ＴＳ）に多重化される。番組特定情報に含まれるネットワーク情報テーブル（network information table）には、放送番組の識別情報であるサービスＩＤ（identifier）が記述される。放送トランスポートストリームは、誤り訂正符号化を含む所定のデジタル変調が行われ、さらにＯＦＤＭ（orthogonal frequency division multiplexing：直交周波数分割多重）変調が行われて、送信所のアンテナから送出される。受信側では、物理チャネルと論理チャネルとの組み合わせにより、放送番組を任意に選択できる。
【００１８】
図１において、情報配信システム１は、ワンセグ受信機能を備えた携帯電話機である受信端末１０と、受信端末１０が携帯電話通信を行う携帯通信網２０と、インターネット網３０と、ワンセグの放送局４０とを有する。
【００１９】
受信端末１０は、携帯基地局２１を介して携帯通信網２０に接続する。また、受信端末１０は、携帯通信網２０とインターネット網３０とを接続するゲートウェイ装置３１を介して、携帯通信網２０経由でインターネット網３０にアクセス可能となっている。また、受信端末１０は、放送局４０から送出されるワンセグの放送信号を受信する。
【００２０】
携帯通信網２０およびインターネット網３０には、番組付加情報配信サーバ２２−１、２２−２がそれぞれ配置されている。番組付加情報配信サーバ２２−１、２２−２は、放送局４０から送出される放送信号に含まれる放送番組に関する付加情報を受信端末１０で表示するためのデータ（以下「端末表示データ」という）と、これに関連する各種データを、ハードディスクなどの記録媒体（図示せず）にそれぞれ格納する。番組付加情報配信サーバ２２−１は、例えば、携帯端末事業者が独自に用意した付加情報を配信するサーバである。また、番組付加情報配信サーバ２２−２は、一般ユーザにより自由に作成される付加情報を配信するサーバである。
【００２１】
番組付加情報配信サーバ２２−１、２２−２は、受信端末１０から端末表示データの配信を要求されたとき、該当する端末表示データを記録媒体から読み出し、受信端末１０に配信する。番組付加情報配信サーバ２２−１、２２−２が格納するデータの詳細については後述する。
【００２２】
図２は、図１に示す受信端末１０の構成を示す図である。
【００２３】
図２において、受信端末１０は、ＴＶ受信系１１０、ＴＳデコーダ１２０、映像処理部１３０、データ放送処理部１４０、表示合成処理部１５０、表示部１６０、音声処理部１７０、合成器１８０、スピーカアンプ１９０、スピーカ２００、マイクロフォン２１０、マイクロフォンアンプ２２０、通信データ処理部２３０、変調回路２４０、送信回路２５０、電話用アンテナ部２６０、受信回路２７０、復調回路２８０、ＣＰＵ（central processing unit）２９０、不揮発メモリ３００、および表示イメージデータ生成部３１０を有する。
【００２４】
ＴＶ受信系１１０は、ワンセグの放送信号を受信して元のトランスポートストリームを再生する。
【００２５】
ＴＶ受信系１１０は、ＴＶ用アンテナ部１１１、受信選択回路１１２、ＯＦＤＭ復調器１１３、およびデジタル復調器１１４を有する。
【００２６】
ＴＶ用アンテナ部１１１は、ワンセグの放送波を受信する。
【００２７】
受信選択回路１１２は、物理チャネルを切り替えて選択し、それぞれＴＶ用アンテナ部１１１を介してワンセグの放送信号を受信する。
【００２８】
ＯＦＤＭ復調器１１３は、受信選択回路１１２の受信データに対してＯＦＤＭ復調を行う。
【００２９】
デジタル復調器１１４は、ＯＦＤＭ復調器１１３でＯＦＤＭ復調された放送トランスポートストリームに対して誤り検出および誤り訂正を含むデジタル復調を行い、複数のトランスポートパケットから成る元のトランスポートストリームを出力する。
【００３０】
ＴＳデコーダ１２０は、ＴＶ受信系１１０で再生されたトランスポートストリームから、番組映像データ（Ｖｉｄｅｏ）、オーディオデータ（Ａｕｄｉｏ）、データ放送のデータ（Ｄａｔａ）、字幕データ、番組特定情報（ＰＳＩ）、および番組配列情報（ＳＩ）などのＴＳパケットを分離する。番組配列情報（ＳＩ）には、各放送番組のタイムテーブルである電子番組表（electric program guide：ＥＰＧ）のデータが含まれる。
【００３１】
映像処理部１３０は、ＴＶ受信系１１０を介して受信されＴＳデコーダ１２０で分離された番組映像データに対して、画質調整などの処理を行う。
【００３２】
データ放送処理部１４０は、ＴＳデコーダ１２０で分離されたデータ放送のデータに対するデコード処理や画像データ化などの処理を行う。
【００３３】
表示合成処理部１５０は、映像処理部１３０で画質調整された番組映像データと、データ放送処理部１４０で生成されるビデオデータと、後述する表示イメージデータ生成部３１０で生成される表示イメージデータとを、１つの画面に配置する形で合成し、表示データを生成する。
【００３４】
表示部１６０は、液晶ディスプレイ（図示せず）を備え、表示合成処理部１５０で生成された表示データを画面出力する。
【００３５】
音声処理部１７０は、ＴＳデコーダ１２０で分離されたオーディオデータに対して音質調整およびデジタルアナログ変換などの処理を行う。
【００３６】
合成器１８０は、音声処理部１７０から出力される音声信号と、通信データ処理部２３０から出力される音声信号とを合成する。
【００３７】
スピーカ２００は、合成器１８０から出力される音声信号を、スピーカアンプ１９０を介して入力し、音声に変換して出力する。
【００３８】
マイクロフォン２１０は、音声を入力して音声信号に変換し、マイクロフォンアンプ２２０を介して通信データ処理部２３０に出力する。
【００３９】
通信データ処理部２３０は、図１に示す携帯通信網２０との間で送受信される音声データ、通信データ、および通信制御データ（以下「通信データ」と総称する）に関する処理を行う。
【００４０】
変調回路２４０は、通信データ処理部２３０から出力される通信データに対して所定の変調処理を行う。
【００４１】
送信回路２５０は、電話用アンテナ部２６０を介して携帯通信網２０に接続し、変調回路２４０で変調された通信データを送信する。
【００４２】
受信回路２７０は、電話用アンテナ部２６０を介して携帯通信網２０に接続し、自端末宛の通信データを受信する。
【００４３】
復調回路２８０は、受信回路２７０で受信された通信データに対して所定の復調処理を行い、復調された通信データを通信データ処理部２３０に出力する。
【００４４】
ＣＰＵ２９０は、制御プログラムを実行して、受信端末１０の各部の動作を制御する。特に、ＣＰＵ２９０は、ＴＶ受信系１１０を用いた放送番組の受信再生を開始すると同時に、付加情報の端末表示データを番組付加情報配信サーバ２２から取得する。そして、ＣＰＵ２９０は、取得した端末表示データを即時に表示イメージデータ生成部３１０に出力する。
【００４５】
不揮発メモリ３００は、ＣＰＵ２９０が実行する制御プログラムと、番組付加情報配信サーバ２２の所在に関する情報と、その他制御プログラムの実行に必要な各種情報とを格納する。
【００４６】
表示イメージデータ生成部３１０は、ＣＰＵ２９０から入力される端末表示データに対してデコード処理やビデオデータ化などの処理を行って付加情報の画像データである表示イメージデータを生成し、生成した表示イメージデータを表示合成処理部１５０に出力する。
【００４７】
上記構成により、放送番組の受信再生が開始されると、同一の画面上に、視聴中の放送番組の映像と、その放送番組の付加情報の映像とが表示される。
【００４８】
上述したように、放送番組の受信再生が開始されてから、実際に放送番組の映像やデータ放送の映像が画面上に表示されるまでには時間が掛かる。一方、携帯電話の通信系を用いた場合、放送信号を用いた場合に比べて情報伝送レートが高く、複雑な多重化やエンコードも不要である。したがって、端末表示データを番組付加情報配信サーバ２２に要求してから、対応する端末表示データが受信されて付加情報が画面上に表示されるまでの時間は、短くて済む。したがって、放送番組の映像やデータ放送の映像が表示されるよりも早く、付加情報を表示させることができる。
【００４９】
ここで、受信端末１０の動作の説明に先立って、番組付加情報配信サーバ２２が格納する情報および番組付加情報配信サーバ２２の動作について説明する。
【００５０】
図３は、番組付加情報配信サーバ２２が格納する情報および番組付加情報配信サーバ２２の動作を示す図である。
【００５１】
図３に示すように、番組付加情報配信サーバ２２は、放送局４０から送出される放送信号に含まれる電子番組表（ＥＰＧ）２２１と、電子番組表（ＥＰＧ）２２１に記述された個々の放送番組に対応して作成された付加情報リスト２２２と、放送番組の付加情報２２３の端末表示データとを格納している。
【００５２】
付加情報リスト２２２とは、放送番組の番組カテゴリごとに、番組付加情報配信サーバ２２で配信可能な付加情報の情報種別をリスト化したものである。たとえば、番組カテゴリがニュース（ＮＥＷＳ）である「ＮＥＷＳ−Ａ」という放送番組の場合、図３に示すように、「ｉ．ＮＥＷコンテンツ  放送時間テーブル」、「ii．特ダネＮＥＷＳ内容・・・放送時間」、「iii．スポーツ結果内容・・・放送時間」、「iv．お天気予報内容・・・放送時間」、および「ｖ．金融情報内容・・・放送時間」という情報種別が記述されている。
【００５３】
付加情報２２３の端末表示データとは、放送番組ごとおよび情報種別ごとの付加情報２２３をデータ化したものである。たとえば、「ＮＥＷＳ−Ａ」という放送番組の「ｉ．ＮＥＷコンテンツ  放送時間テーブル」という情報種別に対応する付加情報２２３の端末表示データには、「６：００−国会審議  年金問題」といった内容が含まれる。
【００５４】
番組付加情報配信サーバ２２は、受信端末１０からの要求に従って、電子番組表（ＥＰＧ）２２１、付加情報リスト２２２、および付加情報２２３の端末表示データを返信する。このとき、放送番組や番組種別を指定して付加情報リスト２２２または端末表示データを要求された場合には、該当する付加情報リスト２２２または端末表示データを返信する。
【００５５】
番組カテゴリごとに付加情報２２３の情報種別が共通している場合には、単に番組カテゴリごとの付加情報リスト２２２のみを用意してもよい。この場合には、番組付加情報配信サーバ２２は、付加情報リスト２２２の要求に関して番組カテゴリの指定のみを受け付ける。以下、説明の簡便化のため、番組カテゴリごとに付加情報２２３の情報種別が共通しているものとして説明を行う。
【００５６】
また、放送番組の番組カテゴリの増減や各番組カテゴリについて配信される付加情報２２３の情報種別の増減があった場合、番組付加情報配信サーバ２２が格納する付加情報リスト２２２は更新される。番組付加情報配信サーバ２２は、付加情報リスト２２２が更新されるごとに、その旨を示す通知を受信端末１０に送信する。
【００５７】
以下、図２の構成を有する受信端末１０の動作について説明する。
【００５８】
ここでは、携帯電話機能およびワンセグ受信機能に関しては従来のものと同様であるため、これらについての説明を省略し、付加情報２２３の端末表示データの受信と映像表示に関する動作を中心として説明を行う。
【００５９】
受信端末１０は、まず、付加情報２２３の表示を行うための初期設定を行う初期設定処理を実行する。この初期設定処理は、たとえば、ワンセグ視聴のためのアプリケーションソフトウェアを最初に起動させたときや、番組付加情報配信サーバ２２から付加情報リスト２２２の更新の通知を受信するごとに、実行される。
【００６０】
図４は、初期設定処理の流れを示すフローチャートであり、ＣＰＵ２９０により実行される。
【００６１】
まず、ステップＳ１１００で、受信端末１０は、携帯電話の通信系を用いて番組付加情報配信サーバ２２にアクセスし、付加情報リスト２２２を取得する。ここでは、全ての番組カテゴリについての付加情報リスト２２２を取得するものとする。
【００６２】
図５は、図４のステップＳ１１００で取得される付加情報リスト２２２の内容の例を示す図である。
【００６３】
図５に示すように、受信端末１０は、たとえば、「ＮＥＷＳ」、「情報バラエティ」、「ドラマ」、「スポーツ中継」、「映画」、「（トーク・クイズ）バラエティ」、および「ドキュメンタリー」という７つの付加情報リスト２２２−１〜２２２−７を取得する。それぞれの付加情報リスト２２２には、番組カテゴリと、番号が付された付加情報２２３の情報種別とが記述される。
【００６４】
そして、図４のステップＳ１２００で、受信端末１０は、表示の対象となる付加情報２２３の情報種別を番組カテゴリごとに予め設定するユーザ設定テーブルを作成する。具体的には、受信端末１０は、取得した付加情報リスト２２２を１つずつ液晶ディスプレイに表示させ、キースイッチ（図示せず）の操作により、情報種別に付された番号の選択をユーザから受け付ける。そして、受信端末１０は、選択された番号に該当する情報種別を、表示中の番組カテゴリにおいて取得すべき付加情報２２３の情報種別（以下「取得情報種別」という）に設定し、各番組カテゴリと設定情報との対応付けを記述したユーザ設定テーブルを作成する。
【００６５】
図６は、図４のステップＳ１２００で作成されるユーザ設定テーブルの内容の一例を示す図である。
【００６６】
図６に示すように、ユーザ設定テーブル４１０は、番組カテゴリ４１１と、設定情報である取得情報種別４１２とから構成される。番組カテゴリ４１１には、付加情報リスト２２２の番組カテゴリが記述される。取得情報種別４１２には、各番組カテゴリに対応して、取得情報種別が記述される。ここでは、たとえば、「ドラマ」という番組カテゴリ４１１に対応付けて、「ｉ．今回のあらすじ」という取得情報種別４１２が記述されている。これは、ユーザが、番組カテゴリがドラマである放送番組を視聴する際にその回のあらすじに関する付加情報２２３を表示させる、ということを希望したことを示す。
【００６７】
そして、図４のステップＳ１３００で、受信端末１０は、ステップＳ１２００で作成したユーザ設定テーブル４１０を不揮発メモリ３００に格納して、一連の処理を終了する。
【００６８】
このようにして、受信端末１０には、ユーザ設定テーブル４１０が格納され、付加情報２２３の表示の準備が完了する。
【００６９】
付加情報２２３の表示の準備が完了すると、受信端末１０は、アイコンがキースイッチの操作で選択されるなどしてワンセグの視聴の開始が指示されるごとに、ＴＶ受信系１１０を用いた放送番組の受信と併せて付加情報を表示する付加情報表示処理を実行する。
【００７０】
付加情報表示処理として、受信可能なすべての放送番組についての付加情報２２３を事前に一括で取得して蓄積しておく手法と、視聴する放送番組を切り替えるごとに付加情報２２３を逐次取得する手法とが考えられる。ここでは、まず、付加情報を事前に一括で取得して蓄積する事前蓄積の場合の付加情報表示処理について説明する。
【００７１】
図７は、事前蓄積の場合の付加情報表示処理を示すフローチャートであり、ＣＰＵ２９０により実行される。
【００７２】
まず、ステップＳ２１００で、受信端末１０は、ＴＶ受信系１１０における放送信号の受信と、ＴＳデコーダ１２０における放送トランスポートストリームの分離とを開始する。
【００７３】
図８は、受信端末１０がステップＳ２１００で受信を開始するデータの構成を示す図である。
【００７４】
図８に示すように、放送トランスポートストリーム（ＴＳ）４２１は、１８８バイトのＴＳパケットと１６バイトの誤り訂正用の冗長データから構成される。ＴＶ受信系１１０で分離される個々のＴＳパケット４２２は、パケット識別子（packet identifier：ＰＩＤ）を含む４バイト以上のトランスポートストリーム（ＴＳ）ヘッダと、ビデオデータ（Ｖｉｄｅｏ）、オーディオデータ（Ａｕｄｉｏ）、およびデータ放送のデータ（Ｄａｔａ）などのデータから構成される。トランスポートストリーム４２３は、複数のＴＳパケット４２２から構成される。複数のＴＳパケット４２２は、番組特定情報（ＰＳＩ）や番組配列情報（ＳＩ）、ビデオデータ（Ｖｉｄｅｏ）、オーディオデータ（Ａｕｄｉｏ）、またはデータ放送のデータ（Ｄａｔａ）をそれぞれ格納する。なお、ＩＥＥＥ１３９４上のトランスポートストリーム４２４は、個々のＴＳパケット４２２にヘッダが付された構成となる。
【００７５】
そして、図７のステップＳ２２００で、受信端末１０は、番組付加情報配信サーバ２２から、電子番組表（ＥＰＧ）２２１をダウンロードし、電子番組表（ＥＰＧ）２２１から、現在放送中の放送番組を特定するとともに、現在放送中の放送番組の番組カテゴリを取得する。
【００７６】
図９は、図７のステップＳ２２００でダウンロードされる電子番組表（ＥＰＧ）２２１の内容の一例を示す図である。
【００７７】
図９に示すように、電子番組表（ＥＰＧ）２２１は、チャネル番号が付された放送局名に対応付けて、放送局ごとに、各時間帯の放送番組の番組名を含む番組識別情報が記述されている。個々の放送番組には、番組カテゴリが対応付けられている。「Ａ局」という放送局の６時から７時の時間帯には、「ＮＥＷＳ−Ａ」というニュース番組が記述されている。したがって、図７のステップＳ２２００の処理が６時１０分に行われた場合には、少なくとも「ＮＥＷＳ」という番組カテゴリが特定される。
【００７８】
そして、図７のステップＳ２３００で、受信端末１０は、図６に示すユーザ設定テーブル４１０を参照して、ステップＳ２２００で特定した番組カテゴリに対応する取得情報種別を取得する。そして、受信端末１０は、取得した取得情報種別を番組付加情報配信サーバ２２に送信して、対応する付加情報２２３の端末表示データをダウンロードする。
【００７９】
たとえば、図７のステップＳ２２００で、「ＮＥＷＳ」という番組カテゴリが特定されたとする。この場合、図６に示すユーザ設定テーブル４１０において「ＮＥＷＳ」という番組カテゴリ４１１に「ｉ．ＮＥＷコンテンツ  放送時間テーブル」という取得情報種別４１２が対応付けられている。したがって、図７のステップＳ２３００では、「ｉ．ＮＥＷコンテンツ  放送時間テーブル」という情報種別の付加情報２２３の端末表示データがダウンロードされる。
【００８０】
そして、ステップＳ２４００で、受信端末１０は、表示イメージデータ生成部３１０で、ステップＳ２３００でダウンロードした端末表示データから付加情報２２３の表示イメージデータを生成する。そして、受信端末１０は、生成した表示イメージデータを、放送番組の識別情報（以下「番組識別情報」という）に対応付けた状態で、表示イメージデータ生成部３１０内部のメモリ（図示せず）に格納する。これにより、現在放送中の放送番組の付加情報２２３の表示イメージデータが準備される。
【００８１】
そして、ステップＳ２５００で、受信端末１０は、受信を開始した放送番組の番組識別情報を、ＴＳデコーダ１２０で分離された制御情報から取得する。
【００８２】
そして、ステップＳ２６００で、受信端末１０は、表示イメージデータ生成部３１０で、ステップＳ２５００で取得した番組識別情報に対応する付加情報２２３の表示イメージデータをメモリから読み出し、読み出した表示イメージデータを表示合成処理部１５０に出力して、付加情報２２３を表示させる。
【００８３】
そして、ステップＳ２７００で、受信端末１０は、たとえばキースイッチの操作によりチャネルの切り替えが行われたか否か、つまり受信する放送番組が切り替えられたか否かを判断する。受信端末は、チャネルが切り替えられた場合には（Ｓ２７００：ＹＥＳ）、ステップＳ２５００に戻って新たな放送番組の付加情報２２３を表示させ、チャネルが切り替えられていない場合には（Ｓ２７００：ＮＯ）、ステップＳ２８００に進む。
【００８４】
ステップＳ２８００で、受信端末１０は、キースイッチの操作によりワンセグの視聴の終了が指示されたか否かなどにより、ワンセグ視聴を終了するか否かを判断する。受信端末１０は、ワンセグ視聴を終了する場合には（Ｓ２８００：ＹＥＳ）、一連の処理を終了し、ワンセグ視聴を継続する場合には（Ｓ２８００：ＮＯ）、ステップＳ２９００に進む。
【００８５】
ステップＳ２９００で、受信端末１０は、前回の端末表示データのダウンロードから所定の時間が経過したか否かを判断する。受信端末１０は、所定の時間がまだ経過していない場合には（Ｓ２９００：ＮＯ）、ステップＳ２７００に戻り、所定の時間が経過した場合には（Ｓ２９００：ＹＥＳ）、ステップＳ２３００に戻って端末表示データを再びダウンロードする。上記した所定の時間は、前回のダウンロードで取得した端末表示データに対応する放送番組が終了するまでの時間よりも短いことが望ましい。
【００８６】
このような付加情報表示処理の実行により、チャネルの切り替え時に、放送番組の映像やデータ放送の表示に先立って、付加情報２２３を表示させることができる。電子番組表（ＥＰＧ）２２１は、放送信号の放送信号の制御情報から取得することも可能であるが、取得を完了するまでにある程度の時間が掛かる。したがって、携帯電話の通信系を用いて電子番組表（ＥＰＧ）２２１を取得することによって、最初に選択されている放送番組についても付加情報２２３を早いタイミングで表示させることができる。
【００８７】
なお、最初に選択されている放送番組の付加情報２２３をさらに早いタイミングで表示させるには、たとえば、最初に選択されている放送番組の表示イメージデータのみを先にダウンロードして付加情報２２３を表示してから、ステップＳ２２００以降の処理を行う。この場合には、受信端末１０は、放送信号の制御情報から、番組カテゴリを特定する。また、放送信号の放送信号の制御情報から電子番組表（ＥＰＧ）２２１を、取得するようにしてもよい。
【００８８】
図１０は、上記した付加情報表示処理により付加情報２２３が表示される様子を模式的に示した図である。
【００８９】
図１０に示すように、たとえば、図７のステップＳ２２００の処理が６時台に行われた場合には、「ＮＥＷＳ−Ａ」というニュース番組が含まれるため、「ＮＥＷＳ」という番組カテゴリが特定される。また、上述したように、図６に示すユーザ設定テーブル４１０において、「ＮＥＷＳ」という番組カテゴリ４１１に「ｉ．ＮＥＷコンテンツ  放送時間テーブル」という取得情報種別４１２が対応付けられている。したがって、たとえばＡ局の放送番組ＮＥＷＳ−Ａの受信中には、「ｉ．ＮＥＷコンテンツ  放送時間テーブル」という情報種別に対応する付加情報が表示される。
【００９０】
また、たとえば、図７のステップＳ２２００の処理が８時台に行われた場合には、「ドラマＡ」というドラマ番組が含まれるため、「ドラマ」という番組カテゴリが特定される。また、上述したように、図６に示すユーザ設定テーブル４１０において、「ドラマ」という番組カテゴリ４１１に「ｉ．今回のあらすじ」という取得情報種別４１２が対応付けられている。したがって、たとえばＡ局の放送番組ドラマＡの受信中には、「ｉ．今回のあらすじ」という情報種別に対応する付加情報が表示される。
【００９１】
次に、視聴する放送番組を切り替えるごとに付加情報２２３を逐次取得する逐次取得の場合の付加情報表示処理について説明する。
【００９２】
図１１は、逐次取得の場合の付加情報表示処理を示すフローチャートであり、図７に対応するものである。図７と同一部分には同一ステップ番号を付し、これについての説明を省略する。
【００９３】
逐次取得の場合には、受信端末１０は、ステップＳ２１００で放送信号の受信と放送トランスポートストリームの分離とを開始した後、ステップＳ２５００に進み、受信を開始した放送番組の番組識別情報を、ＴＳデコーダ１２０で分離された制御情報から取得する。
【００９４】
そして、ステップＳ２５１０で、受信端末１０は、ステップＳ２１００で取得した番組識別情報から、受信中の放送番組の番組カテゴリを取得する。具体的には、受信端末１０は、たとえば、番組配列情報（ＳＩ）から、放送番組の放送局名、番組名、放送時間、および番組カテゴリを取得する。
【００９５】
そして、ステップＳ２５２０で、受信端末１０は、図６に示すユーザ設定テーブル４１０を参照して、ステップＳ２５１０で取得した番組カテゴリに対応する取得情報種別を取得し、取得した取得情報種別および番組識別情報を番組付加情報配信サーバ２２に送信して、対応する付加情報の端末表示データをダウンロードする。
【００９６】
そして、ステップＳ２５３０で、受信端末１０は、表示イメージデータ生成部３１０で、ステップＳ２５２０で取得した端末表示データから表示イメージデータを生成し、生成した表示イメージデータを表示合成処理部１５０に出力して、付加情報２２３を表示させる。そして、受信端末１０は、ステップＳ２７００〜Ｓ２９００の処理に進み、前回の端末表示データのダウンロードから所定の時間が経過した場合には（Ｓ２９００：ＹＥＳ）、ステップＳ２５２０に戻って端末表示データを再びダウンロードする。
【００９７】
このような付加情報表示処理によっても、チャネルの切り替え時に、放送番組の映像やデータ放送の表示に先立って、付加情報２２３を表示させることができる。
【００９８】
ここで、参考のために、付加情報表示処理の図７および図１１のステップＳ２１００で開始される放送番組の受信処理について説明する。
【００９９】
図１２は、放送番組受信処理の流れを示すフローチャートである。
【０１００】
まず、ステップＳ３１００で、受信端末１０は、ビデオデータ、オーディオデータ、およびデータ放送のデータの蓄積を開始する。具体的には、受信端末１０は、ＴＳデコーダ１２０で分離された各ＴＳパケット４２２のうち、ビデオデータ、オーディオデータ、または字幕データを格納したＴＳパケット４２２を、ＰＥＳ（packetizedelementary stream）バッファに逐次蓄積させる。また、受信端末１０は、ＴＳデコーダ１２０で分離された各ＴＳパケット４２２のうち、データ放送のデータを格納したＴＳパケット４２２を、セクションバッファに逐次蓄積させる。
【０１０１】
そして、ステップＳ３２００で、受信端末１０は、ＰＥＳバッファに蓄積されたデータの復号を開始する。
【０１０２】
そして、ステップＳ３３００で、受信端末１０は、同期用の定時時刻情報であるＰＴＳ（presentation time stamp）に従って、それぞれ復号化された放送番組の映像データ、字幕データ、および音声データを、表示部１６０およびスピーカ２００で同期したタイミングで出力する。また、受信端末１０は、セクションバッファに蓄積されたデータ放送のデータを、ＤＳＭ−ＣＣデータカルーセル受信処理を経て、ＢＭＬ（broadcast markup language）ブラウザなどのデータ放送ブラウザにより表示させる。
【０１０３】
そして、ステップＳ３４００で、受信端末１０は、チャネルの切り替えが行われたか否かを判断し、チャネルが切り替えられた場合には（Ｓ３４００：ＹＥＳ）、ステップＳ３１００に戻り、チャネルが切り替えられていない場合には（Ｓ３４００：ＮＯ）、ステップＳ３５００に進む。
【０１０４】
ステップＳ３５００で、受信端末１０は、ワンセグ視聴を終了するか否かを判断し、ワンセグ視聴を継続する場合には（Ｓ３５００：ＮＯ）、ステップＳ３４００に戻り、ワンセグ視聴を終了する場合には（Ｓ３５００：ＹＥＳ）、一連の処理を終了する。
【０１０５】
すなわち、放送番組受信処理では、多数のパケットデータを蓄積した後に、映像表示では復号化および同期処理、データ放送表示ではＤＳＭ−ＣＣデータカルーセル受信処理およびブラウザ表示処理などが行われる。通常、これら一連の処理が完了して映像の表示が開始されるまでには、数秒の時間が掛かる。したがって、上述した付加情報表示処理により、この時間の間に、放送番組の映像やデータ放送の表示に先立って付加情報を表示することができ、より快適な視聴環境をユーザに提供することができる。
【０１０６】
図１３は、チャネルを切り替えた直後の表示画面の例を示す図である。
【０１０７】
上記したように、放送番組の映像やデータ放送の表示が開始されるまでには時間が掛かる。したがって、チャネルを切り替えた直後には、図１３に示すように、表示画面４３０のうち、放送信号による映像を表示するための放送用エリア４３１には、放送番組の映像やデータ放送は表示されず、たとえば「ワンセグ受信準備中」などの文字が表示される。一方、付加情報を表示するための付加情報用エリア４３２には、携帯電話の通信系を用いて取得された付加情報が早いタイミングで表示される。これにより、ユーザは、付加情報用エリア４３２の表示内容から、まだ映像が表示されていない放送番組についての情報を素早く把握することができる。
【０１０８】
図１４は、チャネルを切り替えて十分に時間が経過したときの表示画面の例を示す図であり、図１３に対応するものである。放送用エリア４３１には、放送番組の映像とデータ放送とが表示される。
【０１０９】
従来、データ放送において、ＵＲＩ（uniform resource identifier）に対応付けられた項目を表示することが行われている。このようなデータ放送の表示画面では、キースイッチの操作によりいずれかの項目をクリックすることにより、対応するＵＲＩから表示されている項目に対応する内容の付加情報を取得することができる。ところが、ユーザは項目を選択してクリックする操作をいちいち行わなければならず、また、データ放送が表示されるまでは付加情報を取得することができないという問題がある。
【０１１０】
図１５は、参考のために、従来の付加情報取得の様子の一例を示す図である。
【０１１１】
従来のワンセグ対応の携帯端末の表示画面４３０ａでは、データ放送の表示が完了した後、ＵＲＩに対応付けられた項目に対するクリック操作を受け付ける。そして、ユーザ操作によりいずれかの項目がクリックされると、携帯電話の通信系を用いて携帯通信網２０やインターネット網３０の対応するＵＲＩが示す場所にアクセスし、付加情報をダウンロードする。すると、表示画面４３０ａは、ダウンロードされた付加情報の表示に切り替わる。このように、従来の付加情報取得では、本実施の形態の受信端末１０に比べて、付加情報が表示されるまでに時間が掛かるだけでなく、操作の手間が掛かることが分かる。
【０１１２】
すなわち、本実施の形態の受信端末１０によれば、放送番組に関する十分な量の情報をより早いタイミングで表示することができるだけでなく、ユーザの嗜好に合う付加情報をより少ない手間で表示することができる。
【０１１３】
なお、それぞれが放送信号を独立に受信可能な複数のＴＶ受信系を有する受信端末では、裏番組の映像を表示することが可能となっているが、このような受信端末にも本発明は好適である。特に携帯端末では、裏番組の映像は非常に小さくしか表示することができないことから、テキストによる補足的な内容説明をすることが望ましいが、そのような小さい領域での表示を想定して作成されていないデータ放送を内容説明として表示することは不適切である。そこで、小さい領域での内容説明の表示を想定して作成された付加情報を携帯電話の通信系を用いて取得すれば、裏番組についても、ユーザの嗜好に合う付加情報を、少ない手間で素早く表示することが可能となる。
【０１１４】
図１６は、裏番組の情報を表示させることが可能な受信端末１０に本発明を適用した場合の、表示画面４３０の様子の一例を示す図である。
【０１１５】
表示画面４３０は、たとえば、視聴中の放送番組の映像を表示するための映像表示エリア４３３と、データ放送または裏番組の情報を表示するための情報表示エリア４３４から構成される。裏番組の情報を表示させるモードに切り替わると、映像表示エリア４３３には、裏番組の映像と、携帯電話の通信系を用いて取得された付加情報とが表示される。図１６に示すように、映像表示エリア４３３の大きさが小さい場合でも、これを想定した付加情報を取得することができ、ユーザは裏番組の内容を容易に把握することが可能となる。また、表示の対象となる裏番組を切り替える際には、データ放送よりも早いタイミングで付加情報を表示させることができる。
【０１１６】
なお、付加情報の表示の仕方は、図１３、図１４、図１６に示した内容に限定されるものではない。たとえば、視聴中の放送番組とは別の表示部（サブ液晶など）に、付加情報や裏番組の映像などを表示させてもよい。
【０１１７】
以上説明したように、本実施の形態によれば、放送信号ではなく、携帯電話の通信系を用いて付加情報を取得するので、十分な量の付加情報をより早いタイミングで表示することができ、チャネル選択性の改善を図ることができる。また、予めユーザの嗜好に合う付加情報の情報種別を番組カテゴリごとに予め設定し、設定された情報種別の付加情報を取得して表示するので、チャネルの切り替えの際に付加情報を選択する操作を不要とすることができ、より快適な視聴環境をユーザに提供することができる。また、裏番組を表示する機能を有する場合に、携帯電話の通信系を用いて取得した付加情報を裏番組の映像に対応付けて表示するので、裏番組の内容を示すのにより適した情報を表示することができる。
【０１１８】
さらに、携帯電話の通信系を用いて付加情報を取得するので、放送番組の放送側が送信する情報ではなく、他の各種の付加情報を表示できる。これにより、たとえば、第三者により作成されたコメント文など、さまざまな種類の情報を、受信中の放送番組に対応付けた形でユーザに提供することができる。したがって、ユーザに提供される付加情報を充実させ、放送サービスの付加価値を高めることができる。
【０１１９】
なお、本実施の形態では、番組付加情報配信サーバで付加情報の端末表示データを格納し、番組付加情報配信サーバから端末表示データを配信するとしたが、これに限定されるものではない。たとえば、番組付加情報配信サーバ側は、他のサーバのＵＲＩなど、端末表示データの格納場所を示す情報を格納し、端末表示データの格納場所を受信端末に送信するようにしてもよい。この場合、受信端末は、受信した端末表示データの格納場所にアクセスして、端末表示データを取得する。
【０１２０】
また、特定の番組付加情報配信サーバから付加情報を取得するのではなく、番組名や取得情報種別をキーワードとして、携帯通信網２０およびインターネット網３０で付加情報を検索し、該当する情報を保持する番組付加情報配信サーバから付加情報を取得するようにしてもよい。これにより、たとえば、所望の付加情報が、携帯通信網２０の番組付加情報配信サーバ２２−１には存在しないが、インターネット網３０の番組付加情報配信サーバ２２−２には存在するといった場合に、番組付加情報配信サーバ２２−２から所望の付加情報を取得することができる。
【０１２１】
また、ＵＲＩに対応付けられた項目を表示するデータ放送を受信する場合には、各項目のテキスト解析などにより対応する情報の情報種別を判別し、ユーザ設定テーブルに基づいて情報種別から項目を選択し、選択した項目に対応付けられたＵＲＩが示す場所にアクセスするようにしてもよい。
【０１２２】
また、本実施の形態では、付加情報を携帯電話の通信系を用いて取得する場合について説明したが、これに限定されるものではなく、たとえば無線ＬＡＮ（local area network）など、放送信号以外から付加情報を取得できる各種手法を適用することができる。
【０１２３】
また、本実施の形態では、ワンセグ受信機能を備えた携帯電話機に本発明を適用した場合について説明したが、これに限定されるものではない。たとえば、本発明は、ワンセグ受信機能を搭載したＰＤＡ（personal digital assistant）やパーソナルコンピュータ、複数のセグメントを使用して地上デジタル放送を受信する車載用のテレビジョン受信機など、放送番組と番組識別情報とを含む放送信号を受信する各種の受信端末に適用可能である。
【産業上の利用可能性】
【０１２４】
本発明に係る受信端末、受信方法、および情報配信システムは、十分な量の付加情報をより早いタイミングで表示することができる受信端末、受信方法、および情報配信システムとして有用である。
【図面の簡単な説明】
【０１２５】
【図１】本発明の一実施の形態に係る情報配信システムの構成を示すシステム構成図
【図２】本発明の一実施の形態に係る受信端末の構成を示すブロック図
【図３】本実施の形態における番組付加情報配信サーバが格納する情報および番組付加情報配信サーバの動作を示す説明図
【図４】本実施の形態における初期設定処理の流れを示すフローチャート
【図５】本実施の形態における付加情報リストの内容の例を示す説明図
【図６】本実施の形態におけるユーザ設定テーブルの内容の一例を示す説明図
【図７】本実施の形態における事前蓄積の場合の付加情報表示処理を示すフローチャート
【図８】本実施の形態における受信端末が受信を開始するデータの構成を示す説明図
【図９】本実施の形態における電子番組表の内容の一例を示す説明図
【図１０】本実施の形態における付加情報表示処理により付加情報が表示される様子を模式的に示した説明図
【図１１】本実施の形態における逐次取得の場合の付加情報表示処理を示すフローチャート
【図１２】本実施の形態における放送番組受信処理の流れを示すフローチャート
【図１３】本実施の形態におけるチャネルを切り替えた直後の表示画面の例を示す平面図
【図１４】本実施の形態におけるチャネルを切り替えて十分に時間が経過したときの表示画面の例を示す平面図
【図１５】参考として従来の付加情報取得の様子の一例を示す説明図
【図１６】裏番組の情報を表示させることが可能な受信端末に本発明を適用した場合の表示画面の様子の一例を示す平面図
【符号の説明】
【０１２６】
１  情報配信システム
１０  受信端末
２０  携帯通信網
２１  携帯基地局
２２  番組付加情報配信サーバ
３０  インターネット網
３１  ゲートウェイ装置
４０  放送局
１１０  ＴＶ受信系
１１１  ＴＶ用アンテナ部
１１２  受信選択回路
１１３  ＯＦＤＭ復調器
１１４  デジタル復調器
１２０  ＴＳデコーダ
１３０  映像処理部
１４０  データ放送処理部
１５０  表示合成処理部
１６０  表示部
１７０  音声処理部
１８０  合成器
１９０  スピーカアンプ
２００  スピーカ
２１０  マイクロフォン
２２０  マイクロフォンアンプ
２３０  通信データ処理部
２４０  変調回路
２５０  送信回路
２６０  電話用アンテナ部
２７０  受信回路
２８０  復調回路
２９０  ＣＰＵ
３００  不揮発メモリ
３１０  表示イメージデータ生成部
【図１】
2009049534.tif 000003
【図２】
2009049534.tif 000004
【図３】
2009049534.tif 000005
【図４】
2009049534.tif 000006
【図５】
2009049534.tif 000007
【図６】
2009049534.tif 000008
【図７】
2009049534.tif 000009
【図８】
2009049534.tif 000010
【図９】
2009049534.tif 000011
【図１０】
2009049534.tif 000012
【図１１】
2009049534.tif 000013
【図１２】
2009049534.tif 000014
【図１３】
2009049534.tif 000015
【図１４】
2009049534.tif 000016
【図１５】
2009049534.tif 000017
【図１６】
2009049534.tif 000018